(57)【特許請求の範囲】
【請求項１】
内周側から外周側にかけて、リードインエリア、データエリア及びミドルエリアが設けられた第１及び外周側から内周側にかけて、ミドルエリア、データエリア及びリードアウトエリアが設けられた第２記録層を備える情報記録媒体に記録情報を書込可能な書込手段を備えた情報記録装置であって、
前記記録情報を前記第１記録層の内周側から外周側へ書き込み、続いて記録方向を折り返して前記第２記録層の外周側から内周側へ書き込むように、前記書込手段を制御する第１制御手段と、
前記第１及び第２記録層に書き込まれた前記記録情報の外周側の夫々の前記ミドルエリアに所定量の緩衝用データを書き込むように、前記書込手段を制御する第２制御手段と、
前記所定量の緩衝用データの外周側に緩衝用データを書き足すように、前記書込手段を制御する第３制御手段と
を備えたことを特徴とする情報記録装置。
【請求項２】
前記第２制御手段は、前記記録情報が前記第１及び第２記録層を跨いで書き込んだ後の最初のボーダークローズ指示に応答することを特徴とする請求項１に記載の情報記録装置。
【請求項３】
前記第３制御手段は、ファイナライズ指示に応答することを特徴とする請求項２に記載の情報記録装置。
【請求項４】
内周側から外周側にかけて、リードインエリア、データエリア及びミドルエリアが設けられた第１及び外周側から内周側にかけて、ミドルエリア、データエリア及びリードアウトエリアが設けられた第２記録層を備える情報記録媒体に記録情報を書込可能な書込手段を備えた情報記録装置における情報記録方法であって、
前記記録情報を前記第１記録層の内周側から外周側へ書き込み、続いて記録方向を折り返して前記第２記録層の外周側から内周側へ書き込むように、前記書込手段を制御する第１制御工程と、
前記第１及び第２記録層に書き込まれた前記記録情報の外周側の夫々の前記ミドルエリアに所定量の緩衝用データを書き込むように、前記書込手段を制御する第２制御工程と、
前記所定量の緩衝用データの外周側に緩衝用データを書き足すように、前記書込手段を制御する第３制御工程と
を備えたことを特徴とする情報記録方法。
【請求項５】
請求項１に記載の情報記録装置に備えられたコンピュータを制御する記録制御用のコンピュータプログラムであって、該コンピュータを、前記書込手段、並びに、前記第１乃至第３制御手段の少なくとも一部として機能させることを特徴とする記録制御用のコンピュータプログラム。
【発明の詳細な説明】
【技術分野】
【０００１】
本発明は、例えばＤＶＤレコーダ等の情報記録装置及び方法、並びにコンピュータプログラムの技術分野に関する。
【背景技術】
【０００２】
例えば、ＣＤ、ＤＶＤ等の情報記録媒体では、特許文献１、２等に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、二層型の光ディスクに記録を行う、ＤＶＤレコーダ等の情報記録装置では、レーザ光の照射側から見て最も手前側に位置する記録層（本願では適宜「Ｌ０層」と称する）に対して記録用のレーザ光を集光することで、Ｌ０層に対して情報を加熱などによる非可逆変化記録方式や書換え可能方式で記録し、Ｌ０層等を介して、レーザ光の照射側から見てＬ０層の奥側に位置する記録層（本願では適宜「Ｌ１層」と称する）に対して該レーザ光を集光することで、Ｌ１層に対して情報を加熱などによる非可逆変化記録方式や書換え可能方式で記録することになる。【０００３】
他方、これらＬ０層及びＬ１層に対して“オポジット方式”等によって記録又は再生を行う技術も開示されている。ここに、“オポジット方式”とは、例えば二つの記録層の間でトラックパスの方向が逆向きである記録又は再生方式である。【０００４】
このようなオポジット方式の２層型光ディスクにおいては、特許文献３に記載されているように、Ｌ０層及びＬ１層のディスク外周部に緩衝用エリアとしてミドルエリアを記録する必要がある。このミドルエリアは、単層型メディアにおけるリードアウトと同様の役割をはたすもので、情報が記録された領域の直後に未記録領域が隣接するのを防ぐための緩衝用エリアである。【０００５】
同様に、緩衝用エリアとして、例えば、ＤＶＤ−Ｒ／ＲＷ等の光ディスクにおいては、ボーダーゾーンを記録する場合がある。ここに、ボーダーゾーンとは、リードアウトやミドルエリアと同様に、データ等の情報が記録された領域の直後に未記録領域が隣接するのを防ぐための緩衝用エリアである。より詳細には、ボーダーゾーンはＣＤ−Ｒにおけるマルチセッションのような追記方法をＤＶＤ−Ｒでも行えるように用意されている構造である。尚、ボーダーゾーンの記録処理を、一般にボーダークローズ（処理）という。【０００６】
このような緩衝用エリアを記録して、データに隣接する未記録領域をＤＶＤ−Ｒ等においてなくすことで、トラッキング方式としてプッシュプル法が採用されているＤＶＤ−Ｒドライブに対して、位相差法が採用されているＤＶＤ−ＲＯＭ再生専用ドライブの光ピックアップによる、トラッキングサーボの正常な制御が可能となる。【０００７】
このように、ミドルエリアや、ボーダーゾーンの存在によって、ＤＶＤ−ＲＯＭ再生専用ドライブは、ＤＶＤ−ＲＯＭと互換性が保持されたＤＶＤ−Ｒ／ＲＷ等の光ディスクを正しく読み込むことができる。【０００８】
【特許文献１】特開２０００−３１１３４６号公報
【特許文献２】特開２００１−２３２３７号公報
【特許文献３】特表２０００−５０３４４６号公報
【特許文献４】特開２００２−１３３６６７号公報
【特許文献５】特開２００３−５９０５９号公報
【特許文献６】特開平９−１６９６６号公報
【特許文献７】特開２００１−２３２３７号公報
【発明の開示】
【発明が解決しようとする課題】
【０００９】
しかしながら、データの記録がＬ０層からＬ１層にまたがって行われた場合、例えばオポジット方式の場合、一般のＤＶＤ−ＲＯＭの２層型光ディスクとの互換性を保持するために、Ｌ０層及びＬ１層の外周部において緩衝用エリアとしてミドルエリアを記録する必要がある。より具体的には、一般のＤＶＤ−ＲＯＭは規格上、半径方向の長さが最低限０．５mmの緩衝用エリアを記録する必要がある。この緩衝用エリアの情報量は、例えば、光ディスクの外周部においては、後述されるように、約１８４ＭＢ（＝９２ＭＢ×２層）に相当し、ＤＶＤフォーラムで定義された１倍速（１３８５（ＫＢ／秒））によって記録すると、約２〜３分も掛かってしまう。【００１０】
このように、データの記録がＬ０層からＬ１層にまたがって行われた場合、そのディスクをＤＶＤ−ＲＯＭドライブで再生可能なように構成するための処理、所謂ファイナライズ、もしくはボーダークローズのために、膨大な情報量の緩衝用エリアを記録する必要があり、その記録処理にかかる時間を長くさせてしまうという技術的な問題点がある。【００１１】
そこで本発明は、例えば上記問題点に鑑みなされたものであり、例えば多層型の情報記録媒体における各記録層において、効率的に情報を記録することが可能であると共に、記録時間を短縮させることが可能である情報記録装置及び方法、並びにコンピュータプログラムを提供することを課題とする。
【課題を解決するための手段】
【００１２】
本発明の請求の範囲第１項に記載の情報記録装置は上記課題を解決するために、第１及び第２記録層を備える情報記録媒体に記録情報を書込可能な書込手段を備えた情報記録装置であって、前記記録情報を前記第１及び第２記録層に連続的に書き込むように、前記書込手段を制御する第１制御手段と、前記第１及び第２記録層に書き込まれた前記記録情報の外周側に所定量の緩衝用データを書き込むように、前記書込手段を制御する第２制御手段と、前記所定量の緩衝用データの外周側に緩衝用データを書き足すように、前記書込手段を制御する第３制御手段とを備える。【００１３】
本発明の請求の範囲第４項に記載の情報記録方法は上記課題を解決するために、第１及び第２記録層を備える情報記録媒体に記録情報を書込可能な書込手段を備えた情報記録装置における情報記録方法であって、前記記録情報を前記第１及び第２記録層に連続的に書き込むように、前記書込手段を制御する第１制御工程と、前記第１及び第２記録層に書き込まれた前記記録情報の外周側に所定量の緩衝用データを書き込むように、前記書込手段を制御する第２制御工程と、前記所定量の緩衝用データの外周側に緩衝用データを書き足すように、前記書込手段を制御する第３制御工程とを備える。【００１４】
本発明の請求の範囲第５項に記載のコンピュータプログラムは上記課題を解決するために、請求の範囲第１項に記載の情報記録装置に備えられたコンピュータを制御する記録制御用のコンピュータプログラムであって、該コンピュータを、前記書込手段、並びに、前記第1乃至第３制御手段の少なくとも一部として機能させる。
【図面の簡単な説明】
【００１５】
【図１】本発明の情報記録媒体の第１実施例に係る複数の記録領域を有する光ディスクの基本構造を示した概略平面図（図１（ａ））及び、該光ディスクの概略断面図と、これに対応付けられた、その半径方向における記録領域構造の図式的概念図（図１（ｂ））である。
【図２】本発明の情報記録装置の第１実施例の記録対象となる情報記録媒体に係る２層型光ディスクのデータ構造及び該光ディスクの記録領域におけるＥＣＣブロックを構成する物理的セクタ番号並びに該光ディスクのオポジット方式による記録又は再生方法を示した概念的グラフ図である。
【図３】本発明の情報記録装置の第１実施例の記録対象となる、例えば、ＤＶＤ−Ｒ等の２層型光ディスクのＬ０層における通常のボーダーゾーンの物理的な情報量を示したテーブルである。
【図４】本発明の情報記録装置の第１実施例の記録対象となる、例えば、ＤＶＤ−Ｒ等の２層型光ディスクのＬ０層における通常のボーダーゾーンの詳細なデータ構造を示したデータ構造図である。
【図５】本発明の情報記録装置の第１実施例に係る情報記録再生装置による、光ディスクの記録領域におけるボーダークローズ処理の手順を４つフェイズで示した図式的概念図である。
【図６】本発明の情報記録装置の第１実施例に係る情報記録再生装置のブロック図である。
【図７】本発明の情報記録装置の第１実施例に係る情報記録再生装置における、ショートミドルエリア又は通常のミドルエリアを記録した場合の光ディスクの記録動作の流れを示したフローチャート図である。
【図８】図７のステップＳ１０１からＳ１０８及びステップＳ１１２からＳ１１８に対応した、本発明の情報記録装置の第１実施例に係る情報記録再生装置の一具体例による、Ｌ０層及びＬ１層におけるボーダークローズ処理、ショートミドルエリアの記録、及びファイナライズ処理を行った場合のＬ０層及びＬ１層の記録領域の変遷を示した図式的概念図である。
【図９】図７のステップＳ１０１からＳ１１１に対応した、本発明の情報記録装置の第１実施例の他の一具体例に係る情報記録再生装置による、Ｌ１層におけるボーダークローズ処理、通常のミドルエリアの記録、及びファイナライズ処理を行った場合のＬ０層及びＬ１層の記録領域の変遷を示した図式的概念図である。
【図１０】一般のＤＶＤ−ＲＯＭドライブ等の情報記録再生装置が２層型光ディスクにおける所望のアドレスへアクセスする際の経路を示した図式的な概念図である。
【図１１】一般のＤＶＤ−ＲＯＭドライブ等の情報記録再生装置における所望のアドレスと実際にアクセスされる位置との誤差の４つの要因を示した図式的な概念図である。
【図１２】本発明の情報記録装置の第２実施例に係る情報記録再生装置における、ショートミドルエリアを記録した場合の光ディスクの記録動作の流れを示したフローチャート図である。
【図１３】図１２のステップＳ１０１からＳ１１８に対応した、本発明の情報記録装置の第２実施例の一具体例に係る情報記録再生装置による、Ｌ０層及びＬ１層におけるボーダークローズ処理、ショートミドルエリアの記録、及びファイナライズ処理を行った場合のＬ０層及びＬ１層の記録領域の変遷を示した図式的概念図である。
【図１４】図１２のステップＳ１０１からＳ１１８に対応した、本発明の情報記録装置の第２実施例の他の一具体例に係る情報記録再生装置における、Ｌ１層におけるボーダークローズ処理、ショートミドルエリアの記録、及びファイナライズ処理を行った場合のＬ０層及びＬ１層の記録領域の変遷を示した図式的概念図である。
【符号の説明】
【００１６】
１００…光ディスク、１０１−０（１０１−１）…リードインエリア、１０２−０（１０２−１）…データゾーン、１０３−０（１０３−１）…リードアウトエリア、１０４−０（１０４−１）…ミドルエリア、１０４ｓ−０（１０４ｓ−１）…ショートミドルエリア、１０５−０（１０５−１）…ボーダーゾーン、１０５ａ−０（１０５ａ−１）…ボーダーアウト（０．５mm用）、１０５ｂ−０（１０５ｂ−１）…ボーダーイン、１０５ｃ−０（１０５ｃ−１）…ボーダーアウト（０．１mm用）、１０５ｄ−０…ボーダーＲＭＤエリア、１０６…透明基板、１０６−０（１０６−１）…ボーダー（ボーダードエリア）、３００…情報記録再生装置、３０６…データ入出力制御手段、３０７…操作制御手段、３１０…操作ボタン、３１１…表示パネル、３５１…スピンドルモータ、３５２…光ピックアップ、３５３…信号記録再生手段、３５４…ＣＰＵ（ドライブ制御手段）、３５５…メモリ、ＬＢ…レーザ光
【発明を実施するための最良の形態】
【００１７】
（情報記録装置に係る実施形態）
以下、本発明の実施形態に係る情報記録装置について説明する。【００１８】
本発明の情報記録装置に係る実施形態は、第１及び第２記録層を備える情報記録媒体に記録情報を書込可能な書込手段を備えた情報記録装置であって、前記記録情報を前記第１及び第２記録層に連続的に書き込むように、前記書込手段を制御する第１制御手段と、前記第１及び第２記録層に書き込まれた前記記録情報の外周側に所定量の緩衝用データを書き込むように、前記書込手段を制御する第２制御手段と、前記所定量の緩衝用データの外周側に緩衝用データを書き足すように、前記書込手段を制御する第３制御手段とを備える。【００１９】
本発明の情報記録装置に係る実施形態によれば、対象となる情報記録媒体は、例えば、少なくとも第１記録層（Ｌ０層）及び第２記録層（Ｌ１層）を有する。【００２０】
以上のように構成された当該情報記録媒体への記録時には、例えば、ＣＰＵ等の制御手段の制御下で、例えば、光ピックアップ等の書込手段によって、記録情報が、第１記録層の内周側から外周側へ記録され、続いて層間ジャンプが行なわれ、記録方向を折り返して記録情報が第２記録層の外周側から内周側へ記録される。【００２１】
本実施形態では特に、第２制御手段の制御下で書込手段は、第1及び第２記録層に書き込まれた記録情報の外周側に、所定量の緩衝用データを書き込む。ここで所定量の緩衝用データとは、通常の緩衝用データと比べて小さな情報量を持った、例えば、半径方向の長さが約０．１ｍｍのダミーデータである。【００２２】
更に、本実施形態によれば、第３制御手段の制御下で、書込手段は、所定量の緩衝用データの外周側に緩衝用データを書き足す。これにより書き込まれた所定量の緩衝用データは、その半径方向の長さが約０．５mm以上となり、第1及び第２記録層に通常のミドルエリアが形成される。【００２３】
以上より、記録情報を第1及び第２記録層に連続的に記録する際、膨大な緩衝用データを記録する必要がないため、例えば、ビデオレコーディングのようにリアルタイムデータを長時間中断することなく記録を行えることが可能となる。【００２４】
本発明の情報記録装置に係る実施形態の一態様では、前記第２制御手段は、前記記録情報が前記第1及び第２の記録層を跨いで書き込んだ後の最初のボーダークローズ指示に応答する。【００２５】
この態様によれば、第２制御手段の制御下で、書込手段は、第1及び第２の記録層に書き込まれた記録情報の外周側に、例えば、記録すべき複数の記録情報が第１及び第２記録層の両方に跨って書き込む又は書き込んだ直後のボーダークローズ処理を行う指示に応答して、例えば、所定量の緩衝用データを第１及び第２記録層における緩衝用エリアの一部として書き込む。よって、一般のＤＶＤ−ＲＯＭ再生専用ドライブによって再生可能となる。【００２６】
以上より、ボーダークローズ処理を行う任意のタイミングにおいて、所謂、暫定的なミドルエリアを、より短縮された時間で形成することが可能となる。【００２７】
本発明の情報記録装置に係る実施形態の他の態様では、前記第３制御手段は、ファイナライズ指示に応答する。【００２８】
この態様によれば、第３制御手段の制御下で、書込手段は、例えば、記録すべき複数の記録情報のうち最後の記録情報が書き込む又は書き込んだ場合のファイナライズ処理を行なう第２指示に応答して、所定量の緩衝用データの外周側に緩衝用データを書き足す。加えて、このように、ファイナライズ処理された２層型ＤＶＤ−Ｒ等の光ディスクは、ＤＶＤ−ＲＯＭディスクの規格と互換性が保持されると共に、一般のＤＶＤ−ＲＯＭ再生専用ドライブによって再生可能となる。【００２９】
以上より、ファイナライズ処理を行う任意のタイミングにおいて、通常のミドルエリアを、より短縮された時間で形成することが可能となる。【００３０】
（情報記録方法に係る実施形態）
以下、本発明の実施形態に係る情報記録方法について説明する。【００３１】
本発明の情報記録方法に係る実施形態は、第１及び第２記録層を備える情報記録媒体に記録情報を書込可能な書込手段を備えた情報記録装置における情報記録方法であって、前記記録情報を前記第１及び第２記録層に連続的に書き込むように、前記書込手段を制御する第１制御工程と、前記第１及び第２記録層に書き込まれた前記記録情報の外周側に所定量の緩衝用データを書き込むように、前記書込手段を制御する第２制御工程と、前記所定量の緩衝用データの外周側に緩衝用データを書き足すように、前記書込手段を制御する第３制御工程とを備える。【００３２】
本発明の情報記録方法に係る実施形態によれば、上述した本発明の情報記録装置に係る実施形態の場合と同様に、第２制御工程の制御下で、書込手段によって、通常の緩衝用データと比べて小さな情報量である所定量の緩衝用データが第１及び第２記録層の、緩衝用エリアの一部に記録される。よって、例えば、記録すべき複数の記録情報が第１及び第２記録層の両方に跨って書き込む又は書き込んだ直後のボーダークローズ処理にかかる時間の大幅な短縮が可能となる。加えて、第３制御工程の制御下で、書込手段によって、例えば、ファイナライズ処理された２層型ＤＶＤ−Ｒ等の光ディスクは、ＤＶＤ−ＲＯＭと互換性が保持され、一般のＤＶＤ−ＲＯＭ再生専用ドライブによって再生可能となる。【００３３】
以上より、記録情報を第1及び第２記録層に連続的に記録する際、膨大な緩衝用データを記録する必要がないため、例えば、ビデオレコーディングのようにリアルタイムデータを長時間中断することなく記録を行えることが可能となる。【００３４】
尚、上述した本発明の情報記録装置に係る実施形態における各種態様に対応して、本発明の情報記録方法に係る実施形態も各種態様を採ることが可能である。【００３５】
（コンピュータプログラムに係る実施形態）
以下、本発明の実施形態に係るコンピュータプログラムについて説明する。【００３６】
本発明のコンピュータプログラムに係る実施形態は、上述した本発明の情報記録装置の実施形態（但し、その各種形態も含む）に備えられたコンピュータを制御する記録制御用のコンピュータプログラムであって、該コンピュータを、前記書込手段、並びに、前記第1乃至第３制御手段の少なくとも一部として機能させる。【００３７】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、例えば、通信手段等を介してコンピュータにダウンロードさせた後に実行させれば、上述した本発明の情報記録装置に係る実施形態を比較的簡単に実現できる。【００３８】
尚、上述した本発明の情報記録装置に係る実施形態における各種態様に対応して、本発明のコンピュータプログラムに係る実施形態も各種態様を採ることが可能である。【００３９】
本実施形態のこのような作用及び他の利得は次に説明する実施例から明らかにされる。【００４０】
以上説明したように、本発明の情報記録装置及び方法に係る実施形態によれば、書込手段、第１制御手段及び工程、第２制御手段及び工程、第３制御手段及び工程を備えているので、例えば、記録すべき複数の記録情報が第１及び第２記録層に連続して書き込む際に、ディスク外周側に形成しなければならない緩衝用エリア（ミドルエリア）の形成にかかる時間の大幅な短縮が可能である。
【実施例】
【００４１】
（情報記録装置の第１実施例）
次に、図１から図１１を参照して、本発明の情報記録装置の第１実施例の構成及び動作、並びに本発明の情報記録装置の記録対象となる情報記録媒体について詳細に説明する。【００４２】
（情報記録媒体）
次に、図１から図５を参照して、本発明の情報記録装置の第１実施例の記録対象となる情報記録媒体について詳細に説明する。【００４３】
先ず図１を参照して、本発明の情報記録媒体の第１実施例に係る光ディスクの基本構造について説明する。ここに、図１（ａ）は、本発明の情報記録媒体の第１実施例に係る複数の記録領域を有する光ディスクの基本構造を示した概略平面図であり、図１（ｂ）は、該光ディスクの概略断面図と、これに対応付けられた、その半径方向における記録領域構造の図式的概念図である。【００４４】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１、データエリア１０２並びにリードアウトエリア１０３又はミドルエリア１０４が設けられている。そして、光ディスク１００の例えば、透明基板１０６に、記録層等が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。【００４５】
尚、本発明は、このような三つのエリアを有する光ディスクには特に限定されない。例えば、リードインエリア１０１や、リードアウトエリア１０３が存在せずとも、以下に説明するデータ構造等の構築は可能である。また、後述するように、リードインエリア１０１、リードアウト１０３又はミドルエリア１０４は更に細分化された構成であってもよい。【００４６】
特に、本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、上側から下側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。尚、２層型光ディスクにおけるオポジット方式による記録再生手順及び各層におけるデータ構造については、後述される。【００４７】
次に、図２を参照して、本発明の情報記録装置の第１実施例の記録対象となる情報記録媒体に係る２層型光ディスクのデータ構造及び該光ディスクの記録領域におけるＥＣＣブロックを構成する物理的セクタ番号並びに該光ディスクのオポジット方式による記録又は再生手順について説明する。ここに、物理的セクタ番号（以下適宜、セクタ番号と称す。）とは、光ディスクの記録領域における絶対的な物理的アドレスを示した位置情報である。また、図２は、本発明の情報記録装置の第１実施例の記録対象となる情報記録媒体に係る２層型光ディスクのデータ構造及び該光ディスクの記録領域におけるＥＣＣブロックを構成する物理的セクタ番号並びに該光ディスクのオポジット方式による記録又は再生方法を示した概念的グラフ図である。縦軸は、１６進数で表現されたセクタ番号を示し、横軸は、光ディスクの半径方向の相対的な位置を示す。【００４８】
図２に示されるように、本発明の情報記録装置の第１実施例の記録対象となる２層型光ディスク１００は、前述した透明基板と該透明基板に積層された２層の記録層、即ち、Ｌ０層とＬ１層とを備えて構成されている。【００４９】
具体的には、Ｌ０層には、内周側から外周側にかけて、リードインエリア１０１−０、データエリア１０２−０及びミドルエリア１０４−０が設けられている。このリードインエリア１０１−０には、ＯＰＣ（Optimum Power Calibration）処理のためのＰＣ（Power Calibration）エリアＰＣＡ及び記録管理情報が記録されているＲＭ（Recording Management）エリアＲＭＡ等が設けられている。なお、ＰＣＡ、ＲＭＡをリードインエリアのディスク内周側に配置しても良い。特に、データエリア１０２−０は、ボーダーゾーン１０５−０及びボーダーアウト１０５ａ−０又は１０５ｃ−０によって、例えば、３つのボーダードエリア１０６−０（以下、適宜「ボーダー」と称す）を備えて構成されている。各ボーダーゾーン１０５−０は、後述されるように、半径方向の長さが０．５mmのボーダーアウト１０５ａ−０（又は半径方向の長さが０．１mmの１０５ｃ−０）とボーダーイン１０５ｂ−０を備えて構成されている。【００５０】
他方、Ｌ１層には、外周側から内周側にかけて、ミドルエリア１０４−１、データエリア１０２−１及びリードアウト１０３−１が設けられている。このリードアウトエリア１０３−１にも、図示しないＯＰＣエリア等が設けられていてもよい。特に、データエリア１０２−１も、例えば、外周側からボーダーゾーン１０５−１及びボーダーアウト１０５ｃ−１が設けられ、それらの間に１つのボーダー１０６−１が構成されている。各ボーダーゾーン１０５−１は、Ｌ０層と同様に、半径方向の長さが０．５mmのボーダーアウト１０５ａ−１（又は半径方向の長さが０．１mmの１０５ｃ−１）とボーダーイン１０５ｂ−１を備えて構成されている。【００５１】
以上のように２層型光ディスク１００は構成されているので、該光ディスク１００の記録又は再生の際には、本発明の情報記録装置の第１実施例に係る情報記録再生装置の図示しない光ピックアップによって、レーザ光ＬＢは、図示しない基板の側から、即ち、図２中の下側から上側に向けて照射され、その焦点距離等が制御されると共に、光ディスク１００の半径方向における移動距離及び方向が制御される。これにより、夫々の記録層にデータが記録され、又は、記録されたデータが再生される。【００５２】
特に、本発明の情報記録装置の第１実施例の記録対象となる情報記録媒体に係る２層型光ディスクの記録又は再生手順としてオポジット方式が採用されている。ここに、オポジット方式とは、より詳細には、２層型光ディスクの記録又は再生手順として、第１実施例に係る情報記録再生装置の光ピックアップが、Ｌ０層において、内周側から外周側へ向かって、即ち、図２中の矢印の右方向へ移動するのとは逆に、Ｌ１層においては、光ピックアップが外周側から内周側へ向かって、即ち、図２中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り換えればよいため、Ｌ０層からＬ１層への切り換え時間がパラレル方式と比較して短いという利点があるため、ビデオデータのような大容量のリアルタイムコンテンツ情報の記録に採用されている。【００５３】
具体的には、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号は増加していく。より具体的には、光ピックアップが、セクタ番号が“０２ＦＦＦＦｈ”のリードインエリア１０１−０の終了位置（図２中のＡ地点を参照）、セクタ番号が“０３００００ｈ”のデータエリア１０２−０の開始位置（図２中のＢ地点を参照）、セクタ番号が“１ＡＦＦＦＦｈ”のデータエリア１０２−０の終了位置（以下、適宜、Ｌ０層の「折り返し点」と称す：図２中のＣ地点を参照）に順次アクセスして、緩衝の役目を果たすミドルエリア１０４−０へと移動されることによって、Ｌ０層における記録又は再生が行われる。尚、本実施例において、“３００００ｈ”等の末尾の“ｈ”とは１６進数で表現されていることを示す。他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。より具体的には、光ピックアップが、緩衝の役目を果たすミドルエリア１０４−１、セクタ番号が“Ｅ５００００ｈ”のデータエリア１０２−１の開始位置（以下、適宜、Ｌ１層の「折り返し地点」と称す：図２中のＤ地点を参照）、セクタ番号が“ＦＣＦＦＥＦｈ”のデータエリア１０２−１の終了位置（図２中のＥ地点を参照）に順次アクセスして、リードアウトエリア１０３−１へと移動されることによって、Ｌ１層における記録又は再生が行われる。【００５４】
以上説明したＬ０層とＬ１層におけるセクタ番号はすべて、１６進数における１５の補数の関係にある。より具体的には、例えば、Ｌ０層における折り返し点（セクタ番号“１ＡＦＦＦＦｈ”）とＬ１層における折り返し点（セクタ番号“Ｅ５００００ｈ”）は１５の補数の関係にある。形式的には、“１ＡＦＦＦＦｈ”の補数は、１６進数のセクタ番号“１ＡＦＦＦＦｈ”を２進数“０００１１０１０１１１１１１１１１１１１１１１１”に変換してからビット反転（インバート：invert）“１１１００１０１００００００００００００００００”させ、１６進数“Ｅ５００００ｈ”に再変換させることによって求められる。【００５５】
よって、コンテンツ情報は、例えば、Ｌ０層のデータエリア１０２−０のセクタ番号“０３００００ｈ”から“１ＡＦＦＦＦｈ”及びＬ１層のデータエリア１０２−１のセクタ番号“Ｅ５００００ｈ”から“ＦＣＦＦＥＦｈ”において、光ピックアップが連続して移動されると同時に記録又は再生される。【００５６】
以上説明した物理的セクタ番号に対して、論理ブロックアドレス（ＬＢＡ：Logical Block Address）が、１対１に割り付けられている。より具体的には、例えば、セクタ番号“０３００００ｈ”には“００００００”ＬＢＡが対応し、セクタ番号“ＦＣＦＦＥＦｈ”には、“３０ＦＦＥＦ”ＬＢＡが対応する。【００５７】
次に、図３を参照して、本発明の情報記録装置の第１実施例の記録対象となる、例えば、ＤＶＤ−Ｒ等の２層型光ディスクにおける通常のボーダーゾーンの物理的な情報量について説明する。ここに、図３は、本発明の情報記録装置の第１実施例の記録対象となる、例えば、ＤＶＤ−Ｒ等の２層型光ディスクのＬ０層における通常のボーダーゾーンの物理的な情報量を示したテーブルである。【００５８】
図３に示されるように、横方向の列は、左から順番に、光ディスクの半径方向における内周部、中周部及び外周部に対応するボーダーゾーンの開始位置を示したセクタ番号である。縦方向の行は、上から順番に、１番最初に記録されるボーダーゾーン及び２番目以降に記録されるボーダーゾーンの情報量をＥＣＣブロック数とバイト数とで示している。通常のボーダーゾーンの情報量は、記録される開始位置によって異なると共に、１番最初に記録される場合には、半径方向に相対的に長いボーダーゾーンが記録される。他方、２番目以降に記録される場合には、半径方向に相対的に短いボーダーゾーンが記録される。【００５９】
具体的には、１番最初に記録されるボーダーゾーンの半径方向の長さは、約０．５mmとなり、２番目以降に記録されるボーダーゾーンの半径方向の長さは約０．１mmとなるように規定されている。より具体的には、図３のテーブルに示されるように、光ディスクの記録領域のセクタ番号“１６５７００ｈ”以降の通常のボーダークローズ処理において、１番最初に記録されるボーダーゾーンの情報量は、“２９４４”ＥＣＣブロックであり、“９２”ＭＢである。他方、２番目以降に記録されるボーダーゾーンの情報量は、“６０８”ＥＣＣブロックであり、“１９”ＭＢである。詳細には、このように、１番最初に記録されるボーダーゾーンを０．５mmにする理由は、例えば、光ディスクのマルチボーダー構造を認識することができない初期に製造されたＤＶＤ−ＲＯＭ再生専用ドライブ（以下、適宜「マルチボーダー非対応のＲＯＭドライブ」と称す）によっても、１番最初に記録されたボーダーゾーンによって形成された第１番目のボーダーを認識可能とするためである。より詳細には、マルチボーダー非対応のＲＯＭドライブは、基本的には、半径方向の長さの最小値が約０．５mmと規定されたリードアウトエリア等の緩衝用エリアを認識できるように設計されており、仮に緩衝用エリアをこれより小さくしてしまうと、記録又は再生時において光ピックアップが位置する記録又は再生位置が、当該緩衝用エリアを超えて基板外へ外れる可能性が生じるのである。緩衝用エリアの長さをこのように約０．５ｍｍとすることで、マルチボーダー非対応のドライブであっても、リードインエリアから１番最初に記録されたボーダーゾーンまでのデータエリア（所謂、第１番目のボーダードエリア、略してボーダー）については、通常のＤＶＤ−ＲＯＭと同様に再生することが可能とされる。このように、０．５mmと０．１mmを混在させることは、ボーダーゾーンをすべて０．５mmで規定する場合と比較して、ボーダークローズ処理の時間を短縮させることが可能となる点で有利である。【００６０】
次に、図４を参照して、本発明の情報記録装置の第１実施例の記録対象となる、例えば、ＤＶＤ−Ｒ等の２層型光ディスクにおける通常のボーダーゾーンの詳細なデータ構造について説明する。ここに、図４は、本発明の情報記録装置の第１実施例の記録対象となる、例えば、ＤＶＤ−Ｒ等の２層型光ディスクのＬ０層における通常のボーダーゾーンの詳細なデータ構造を示したデータ構造図である。【００６１】
図４に示されるように、通常のボーダーゾーン１０５−０（１０５−１：以下、括弧内は、Ｌ１層における符号番号を示す）は、ボーダーアウト１０５ａ−０（１０５ａ−１）、または、１０５ｃ−０（１０５ｃ−１）とボーダーイン１０５ｂ−０（１０５ｂ−１）を備えて構成されている。そして、通常のボーダーゾーンの情報量は、例えば、“２９４４”ＥＣＣブロック（前述した０．５mm用）又は“６０８”ＥＣＣブロック（前述した０．１mm用）である。【００６２】
ボーダーイン１０５ｂ−０（１０５ｂ−１）には、最新の“５”ＥＣＣブロックの情報量の制御又は記録管理用データが記録されている。この制御又は記録管理用データのデータ構造は、リードインエリア内に記録されている制御又は記録管理用データのデータ構造と同じである。尚、ボーダーイン１０５ｂ−０（１０５ｂ−１）の最後に設けられるＢＳＧＡ（Block SYNC Guard Area）は、ボーダーインの制御又は記録管理用データが未記録の場合に次に隣接する記録済みのＥＣＣブロックが再生可能であることを保証するために記録されるものである。【００６３】
ボーダーアウト１０５ａ−０（１０５ａ−１）、または１０５ｃ−０（１０５ｃ−１）は、更に、ボーダーＲＭＤエリア１０５ｄ−０、ストップブロックＳＢ、３個のネクストボーダーマーカーＮＭ及び緩衝用データを含んだ緩衝用エリアを備えて構成されている。【００６４】
ボーダーＲＭＤエリア１０５ｄ−０には、最新のＲＭＤ（Recording Management Data）等の記録管理用データが“５”ＥＣＣブロックの情報量だけコピーされて記録されている。このボーダーＲＭＤエリア１０５ｄ−０は、例えば、ＤＶＤ−Ｒのリードインエリア内のＲＭエリアを読めないＤＶＤ−ＲＯＭ再生専用ドライブに、ボーダーに記録された情報を再生するための管理情報等を提供することが可能である。【００６５】
ストップブロックＳＢは、“２”ＥＣＣブロックの情報量であり、ボーダーアウト１０５ａ−０（１０５ａ−１）、または、１０５ｃ−０（１０５ｃ−１）の開始位置から相対的に３８及び３９番目に位置している。ストップブロックＳＢの領域の属性は、リードアウトエリアと同じ属性である。これは、光ピックアップにリードアウトエリアと同じ領域を認識させ、該光ピックアップの暴走を防止するためである。【００６６】
各ネクストボーダーマーカーＮＭは、“２”ＥＣＣブロックの情報量であり、このネクストボーダーマーカーＮＭによって、次のボーダーが存在するか否かを判定することができる。具体的には、次のボーダーが存在せず、リードアウトエリアがまだ記録されていない場合には、最後に位置するボーダーアウトのネクストボーダーマーカーＮＭは未記録状態である。そして、ボーダークローズ処理においては、最後から二番目のボーダーアウトの各ネクストボーダーマーカーＮＭには、例えば、“００ｈ”が記録される。そして、ファイナライズ処理においては、最後のボーダーアウトの各ネクストボーダーマーカーＮＭには、例えば、“００ｈ”がパディング（Padding）され、各ネクストボーダーマーカーＮＭの領域の属性は、リードアウトエリアと同じ属性にされる。尚、ＤＶＤ−ＲＷの場合、ネクストボーダーマーカーＮＭは存在しない。【００６７】
次に、図５を参照して、本発明の情報記録装置の第１実施例に係る情報記録再生装置による光ディスクの記録領域における一般的なボーダークローズ処理の手順について説明する。ここに、図５は、本発明の情報記録装置の第１実施例に係る情報記録再生装置による、光ディスクの記録領域におけるボーダークローズ処理の手順を４つフェイズで示した図式的概念図である。尚、図５は、理解しやすくするために、２層間を跨がない場合のＬ０層におけるボーダークローズ処理を示している。【００６８】
先ず、図５の第１フェイズで示されるように、例えば、データ等の情報が、例えば、セクタ毎に、左側から右側（ディスク内周側から外周側）へ、例えば、ＤＶＤ−Ｒ記録ドライブによって追記される。このような記録方式はシーケンシャル記録方式と称される（図５中、ステップＳ１、ステップＳ２及びステップＳ３参照）。【００６９】
次に、図５の第２フェイズで示されるように、例えば、ホストコンピュータからの指示に応答して、ＤＶＤ−Ｒ記録ドライブにおいて、光ディスクをＲＯＭ再生専用ドライブで読込み可能とするためのボーダークローズ処理が行われる。具体的には、ボーダーアウト１０５ａ−０の記録（ステップＳ４）の後、リードインエリア１０１−０に管理情報等が記録される（ステップＳ５）。より具体的には、リードインエリア１０１−０にはボーダーアウト１０５ａ−０が開始される位置情報を示した物理的セクタ番号等に加えて、次のボーダーイン１０５ｂ−０が開始される位置情報が記録される。尚、最初のボーダークローズ処理なので半径方向の長さが約０．５mmのボーダーアウト１０５ａ−０が記録される（前述した、図３の説明参照）。【００７０】
以上より、第２フェイズの光ディスクにおける第１番目のボーダー（ボーダードエリア）１０６−０は、例えば、マルチボーダー非対応のドライブを含めて、すべてのＤＶＤ−ＲＯＭ再生専用ドライブによって読み込み可能となる。【００７１】
次に、図５の第３フェイズで示されるように、データ等の情報が、セクタ毎に、ステップＳ６において、ＤＶＤ−Ｒ記録ドライブによって追記が行われる。具体的には、このステップでは、次の第４フェイズにおいてボーダーイン１０５ｂ−０が記録される領域が空けられて、追記が行われる。【００７２】
以上より、第３フェイズの光ディスクにおいては、最初のボーダークローズ処理が完了した第１番目のボーダー１０６−０内のデータ等の情報だけが、ＤＶＤ−ＲＯＭ専用ドライブによって認識すること可能となる。【００７３】
次に、図５の第４フェイズで示されるように、第３フェイズのステップＳ６において追記された情報を、ＲＯＭ再生専用ドライブによって、読み込み可能とするために２回目のボーダークローズ処理が行われる。尚、２回目以降のボーダークローズ処理なので半径方向の長さが約０．１mmのボーダーアウト１０５ｃ−０が記録される（ステップＳ７）と共に、第３フェイズにおける空き領域に、ボーダーイン１０５ｂ−０が記録される（ステップＳ８）。【００７４】
以上より、第４フェイズの光ディスクにおいては、第１番目のボーダー１０６−０と第２番目のボーダー１０６−０の領域内のデータ等の情報を、光ディスクのマルチボーダー構造を認識することができるＤＶＤ−ＲＯＭ再生専用ドライブ（以下、適宜「マルチボーダー対応のドライブ」と称す）によって読み込み可能となる。【００７５】
（情報記録装置の第１実施例に係る情報記録再生装置）
次に、図６を参照して、本発明の情報記録装置の第１実施例に係る情報記録再生装置３００の構成について説明する。ここに、図６は、本発明の情報記録装置の第１実施例に係る情報記録再生装置のブロック図である。尚、情報記録再生装置３００は、光ディスク１００に記録データを記録する機能と、光ディスク１００に記録された記録データを再生する機能とを備える。【００７６】
図６を参照して情報記録再生装置３００の内部構成を説明する。情報記録再生装置３００は、ＣＰＵ（Central Processing Unit）の制御下で、光ディスク１００に情報を記録すると共に、光ディスク１００に記録された情報を読み取る装置である。【００７７】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、操作制御手段３０７、操作ボタン３１０、表示パネル３１１、及びバス３５７を備えて構成されている。【００７８】
特に、前半に記述したスピンドルモータ３５１、光ピックアップ３５２、信号記録再生手段３５３、ＣＰＵ（ドライブ制御手段）３５４及びメモリ３５５によって、ディスクドライブ（以下、適宜ドライブと称す）が構成されていてもよい。また、後半に記述したデータ入出力制御手段３０６、操作制御手段３０７、操作ボタン３１０及び表示パネル３１１によって、本発明に係るホストコンピュータ（以下、適宜ホストと称す）が構成されてもよい。或いは、また、ＣＰＵ（ドライブ制御手段）３５４及びバス３５７によって、本発明に係る通信手段が構成されていてもよい。【００７９】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボ制御を受けつつ所定速度で光ディスク１００を回転及び停止させるように構成されている。【００８０】
光ピックアップ３５２は光ディスク１００への記録再生を行うもので、半導体レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【００８１】
信号記録再生手段３５３は、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオードドライバ（ＬＤドライバ）は、光ピックアップ３５２内に設けられた図示しない半導体レーザを駆動する。ヘッドアンプは、光ピックアップ３５２の出力信号、即ち、光ビームの反射光を増幅し、該増幅した信号を出力する。より詳細には、信号記録再生手段３５３は、ＯＰＣ（Optimum Power Calibration）処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。特に、信号記録再生手段３５３は、光ピックアップ３５２と共に、本発明に係る「書込手段」の一例を構成する。【００８２】
メモリ３５５は、記録再生データのバッファ領域や、信号記録再生手段３５３で使用出来るデータに変換する時の中間バッファとして使用される領域など情報記録再生装置３００におけるデータ処理全般及びＯＰＣ処理において使用される。また、メモリ３５５はこれらレコーダ機器としての動作を行うためのプログラム、即ちファームウェアが格納されるＲＯＭ領域と、映像データの圧縮伸張で用いるバッファやプログラム動作に必要な変数が格納されるＲＡＭ領域などから構成される。【００８３】
ＣＰＵ（ドライブ制御手段）３５４は、信号記録再生手段３５３、メモリ３５５と、バス３５７を介して接続され、各制御手段に指示を行うことで、情報記録再生装置３００全体の制御を行う。通常、ＣＰＵ３５４が動作するためのソフトウェア又はファームウェアは、メモリ３５５に格納されている。特に、ＣＰＵ３５４は、本発明に係る「第１、第２及び第３制御手段」の一例を構成する。【００８４】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータを例えば、ＭＰＥＧフォーマットに圧縮（エンコード）してからメモリ３５５へ出力し、データ出力時には、メモリ３５５から受け取ったＭＰＥＧフォーマット等のエンコードされたデータを伸張（デコード）してから外部へ出力する。【００８５】
操作制御手段３０７は情報記録再生装置３００に対する動作指示受付と表示を行うもので、記録又は再生といった操作ボタン３１０による指示をＣＰＵ３５４に伝え、記録中や再生中といった情報記録再生装置３００の動作状態を蛍光管などの表示パネル３１１に出力する。特に、本実施例では、操作制御手段３０７は、本発明に係るホストコンピュータとして、図示しないＣＰＵ及びメモリ等によって構成されていてもよい。【００８６】
以上説明した、情報記録再生装置３００の一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをＣＰＵ３５４で実行させることでレコーダ機器としての動作を行っている。【００８７】
（情報記録装置の第１実施例の一具体例による記録動作の流れ）
次に図７及び図８を参照して、本発明の情報記録装置の第１実施例に係る情報記録再生装置の一具体例による、Ｌ０層及びＬ１層におけるボーダークローズ処理、ショートミドルエリアの記録、及びファイナライズ処理を行った場合の記録動作の流れ、並びにＬ０層及びＬ１層の記録領域の変遷について説明する。ここに、「ショートミドルエリア」とは、ミドルエリア等のファイナライズ処理を経て、完全に完成された緩衝用エリアとなる以前に、本発明に係る所定量の緩衝用データが記録された、所謂、暫定的な状態の緩衝用エリアのことである。より具体的には、第１記録層において、コンテンツ等の記録情報が記録されると共に引き続いて、所定量の緩衝用データがＬ０層のショートミドルエリアとして書き込まれる。そして、このＬ０層のショートミドルエリアからＬ１層への層間ジャンプを経て、所定量の緩衝用データがＬ１層のショートミドルエリアとして書き込まれると共に引き続いて、Ｌ１層において、複数の記録情報が記録される。あるいは、第１記録層において、コンテンツ等の記録情報が記録され、Ｌ０層からＬ１層への層間ジャンプを経て、引き続きＬ１層において、複数の記録情報が記録された場合に、該記録データを再生専用ＲＯＭドライブで再生可能なようにするためにホストコンピュータからの指示に応答してそれぞれのショートミドルエリアを記録するように構成してもよい。【００８８】
このようにすれば、ビデオデータなどのリアルタイム性が要求されるデータの記録時に、記録動作をほとんど中断することなく層間をまたいだ記録を行うことが可能となり、バッファーオーバーフローなどの問題を回避することが可能となる。さらには、第１記録層において、コンテンツ等の記録情報が記録され、Ｌ０層からＬ１層への層間ジャンプを経て、引き続きＬ１層において、複数の記録情報が記録された場合に、ＲＯＭドライブで再生可能なようにするためのホストコンピュータからの指示が無い場合でも、例えばドライブの動作が停止しているような空き時間を利用して、ショートミドルエリアを記録するように構成してもよい。このようにすれば、ボーダークローズ等に伴う、緩衝用エリアの記録時間を短縮することが可能となる。【００８９】
また、図７は本発明の情報記録装置の第１実施例に係る情報記録再生装置における、ショートミドルエリア又は通常のミドルエリアを記録した場合の光ディスクの記録動作の流れを示したフローチャート図である。また、図８は、図７のステップＳ１０１からＳ１０８及びステップＳ１１２からＳ１１８に対応した、本発明の情報記録装置の第１実施例に係る情報記録再生装置の一具体例による、Ｌ０層及びＬ１層におけるボーダークローズ処理、ショートミドルエリアの記録、及びファイナライズ処理を行った場合のＬ０層及びＬ１層の記録領域の変遷を示した図式的概念図である。尚、図８中、右側が外周側を、左側が内周側を示す。【００９０】
先ず、図７において、光ディスク１００が装填されると、先ず、ＣＰＵ３５４の制御下で、光ピックアップ３５２によりシーク動作が行われる。そして、光ディスク１００への記録処理に必要な各種管理情報が取得されると同時に、光ディスク１００を例えばＤＶＤ−Ｒ／ＲＷとして、ユーザデータ等の追記を行うか否かが判定される（ステップＳ１０１）。ここで、光ディスク１００への追記を行う場合（ステップＳ１０１：Ｙｅｓ）、情報記録再生装置による追記が、Ｌ０層において、例えば、セクタ単位又はＥＣＣブロック単位で行われる（ステップＳ１０２）。尚、図８中、ステップＳ１０２−１及びＳ１０２−２を参照。続いて、光ディスクが排出されるか否かが判定される（ステップＳ１０３）。ここで、排出されない場合（ステップＳ１０３：Ｎｏ）、更に、ドライブにおいて、ホストからボーダークローズ処理を行うように指示されたか否かが判定される（ステップＳ１０４）。ここで、ボーダークローズ処理を行うように指示された場合（ステップＳ１０４：Ｙｅｓ）、更に、光ディスクに対する最初のボーダークローズ処理であるか否かが判定される、言い換えると、Ｌ０層及びＬ１層における最初のボーダークローズ処理であるか否かが判定される（ステップＳ１０５）。ここで、最初のボーダークローズ処理である場合（ステップＳ１０５：Ｙｅｓ）、半径方向の長さが約０．５ｍｍのボーダーアウト１０５ａ−０が記録される（ステップＳ１０６）。より具体的には、例えば、“２９４４”ＥＣＣブロック（図３中、外周部を参照）がＬ０層において記録される。【００９１】
続いて、リードインエリア１０１−０に管理情報等が記録される（ステップＳ１０７）。より具体的には、リードインエリア１０１−０にはボーダーアウト１０５ａ−０が開始される位置情報を示した物理的セクタ番号等の位置情報に加えて、次に記録されるボーダーイン１０５ｂ−０が開始される位置情報が記録される。尚、図８中の第１ボーダークローズ処理のフェイズにおけるステップＳ１０６及びＳ１０７を参照。【００９２】
続いて、ステップＳ１０６及びＳ１０７のボーダークローズ処理は、Ｌ１層において行われた最初のボーダークローズ処理であるか否かが判定される（ステップＳ１０８）。ここで、Ｌ１層において行われた最初のボーダークローズ処理でない場合（ステップＳ１０８：Ｎｏ）、一連のシーケンシャル記録は一端中断される。【００９３】
続いて、前述したステップＳ１０１からＳ１０４を通じて、情報記録再生装置による追記が、例えばＬ０層及びＬ１層において、例えば、セクタ単位、またはＥＣＣブロック単位ごとに行われる。尚、図８中の追記再開のフェイズにおけるステップＳ１０２−３からＳ１０２−５を参照。【００９４】
続いて、前述したステップＳ１０５において、光ディスクに対する最初のボーダークローズ処理であるか否かが判定される。ここで、最初のボーダークローズ処理でない場合（ステップＳ１０５：Ｎｏ）、半径方向の長さが約０．１ｍｍのボーダーアウト１０５ｃ−０が記録される（ステップＳ１１２）。より具体的には、例えば、“６０８”ＥＣＣブロック（図３中の外周部を参照）が記録される。そして、前回記録した通常のボーダーアウト１０５ａ−０の直後のボーダーイン１０５ｂ−０が記録される（ステップＳ１１３）。尚、図８中の第２ボーダークローズ処理のフェイズにおけるステップＳ１１２及びＳ１１３を参照。【００９５】
続いて、ステップＳ１１２及びＳ１１３のボーダークローズ処理は、Ｌ１層において行われた最初のボーダークローズ処理であるか否かが判定される（ステップＳ１１４）。ここで、Ｌ１層において行われた最初のボーダークローズ処理である場合（ステップＳ１１４：Ｙｅｓ）、半径方向の長さが約０．２５ｍｍのショートミドルエリア１０４ｓ−０及び１０４ｓ−１がＬ０層及びＬ１層において記録される（ステップＳ１１５）。尚、図８中の第２ボーダークローズ処理のフェイズにおけるステップＳ１１５−１及びＳ１１５−２を参照。【００９６】
続いて、ドライブにおいて、ホストからファイナライズ処理を行うように指示されたか否かが判定される（ステップＳ１１６）。ここで、ファイナライズ処理を行うように指示された場合（ステップＳ１１６：Ｙｅｓ）、ステップＳ１１５におけるＬ０層及びＬ１層のショートミドルエリア（半径方向の長さ：約０．２５ｍｍ）に、さらに緩衝用データが書き足されて、半径方向の長さが約０．５ｍｍ以上になった通常のミドルエリアが形成される（ステップＳ１１７）。尚、図８中のファイナライズ処理のフェイズにおけるステップＳ１１７−１及びＳ１１７−２を参照。【００９７】
続いて、ステップＳ１１２におけるＬ１層の最後に記録されたボーダーアウト１０５ｃ−１（半径方向の長さ：約０．１ｍｍ）に緩衝用データが書き足されて、半径方向の長さが約０．５ｍｍ以上となったリードアウトエリアがＬ１層に形成される（ステップＳ１１８）。尚、図８中のファイナライズ処理のフェイズにおけるステップＳ１１８を参照。【００９８】
他方、ステップＳ１０４の判定の結果、ボーダークローズ処理を行うように指示されていない場合（ステップＳ１０４：Ｎｏ）、情報記録再生装置による追記が、Ｌ０層又はＬ１層において、例えば、セクタ単位、またはＥＣＣブロック単位等ごとに行われる（ステップＳ１０２）。【００９９】
他方、ステップＳ１０１の判定の結果、光ディスク１００への追記を行わない場合（ステップＳ１０１：Ｎｏ）、ステップＳ１０３の判定の結果、光ディスクが排出される場合（ステップＳ１０３：Ｙｅｓ）、ステップＳ１０８及びＳ１１４の判定の結果、Ｌ１層において行われた最初のボーダークローズ処理でない場合（ステップＳ１０８及びＳ１１４：Ｎｏ）、並びに、ステップＳ１１０及びＳ１１６の判定の結果、ファイナライズ処理を行うように指示されていない場合（ステップＳ１１０及びＳ１１６：Ｎｏ）、一連のシーケンシャル記録は一端中断される。【０１００】
以上より、一連のシーケンシャル記録は終了される。【０１０１】
以上のように、図７及び図８を参照して説明した本発明の情報記録装置の第１実施例に係る情報記録再生装置の一具体例の処理により、例えば、記録すべき複数の記録情報がＬ０層及びＬ１層の両方に跨って書き込む又は書き込んだ直後のボーダークローズ処理において、通常の緩衝用データと比べて小さな情報量の緩衝用データがＬ０層及びＬ１層において、半径方向の長さが約０．２５ｍｍのショートミドルエリアとして記録されるので、ボーダークローズ処理にかかる時間の大幅な短縮が可能となる。具体的には、Ｌ０層及びＬ１層に記録される比較的に小さな情報量である所定量の緩衝用データの情報量は、通常の緩衝用データの情報量の約半分に相当するので、記録時間も約半分程度に短縮可能となる。より具体的には、通常の緩衝用データと比べて小さな情報量の緩衝用データの情報量は、例えば光ディスクの外周部においては、半径方向の長さが合計０．５ｍｍ（０．２５ｍｍ×２）に相当し前述したように約９２ＭＢ（＝４６ＭＢ×２）である。よって、例えば、ＤＶＤフォーラムで定義された１倍速（１３８５（ＫＢ／秒））による記録時間は、約１分６秒となる。【０１０２】
（情報記録装置の第１実施例の他の一具体例による記録動作の流れ）
次に、図７及び図９を参照して、本発明の情報記録装置の第１実施例に係る情報記録再生装置の他の一具体例における、Ｌ１層におけるボーダークローズ処理、通常のミドルエリアの記録、及びファイナライズ処理を行った場合の記録動作の流れ並びにＬ０層及びＬ１層の記録領域の変遷について説明する。ここに、図９は、図７のステップＳ１０１からＳ１１１に対応した、本発明の情報記録装置の第１実施例の他の一具体例に係る情報記録再生装置による、Ｌ１層におけるボーダークローズ処理、通常のミドルエリアの記録、及びファイナライズ処理を行った場合のＬ０層及びＬ１層の記録領域の変遷を示した図式的概念図である。尚、図９中、図８と同様に、右側が外周側を、左側が内周側を示す。【０１０３】
前述したステップＳ１０１からＳ１０７における、光ディスクに対する最初のボーダークローズ処理であるか否かの判定、データの追記及びボーダークローズ処理を通じて、情報記録再生装置による追記が、例えばＬ０層及びＬ１層において、例えば、セクタ単位、またはＥＣＣブロック単位ごとに行われる。そして、半径方向の長さが約０．５ｍｍのボーダーアウト１０５ａ−１がＬ１層において記録される。そして、リードインエリア１０１−０に管理情報等が記録される。尚、図９中のデータ追記開始のフェイズにおける、ステップＳ１０２−６からＳ１０２−９、並びにボーダークローズ処理のフェイズにおける、ステップＳ１０６及びステップＳ１０７を参照。【０１０４】
続いて、ステップＳ１０６及びＳ１０７のボーダークローズ処理は、Ｌ１層において行われた最初のボーダークローズ処理であるか否かが判定される（ステップＳ１０８）。ここで、Ｌ１層において行われた最初のボーダークローズ処理である場合（ステップＳ１０８：Ｙｅｓ）、半径方向の長さが約０．５ｍｍの通常のミドルエリアがＬ０層及びＬ１層において記録される（ステップＳ１０９）。尚、図９中のボーダークローズ処理のフェイズにおけるステップＳ１０９−１及びＳ１０９−２を参照。なお、ここで通常の長さのミドルエリアを記録する理由は、マルチボーダー非対応機種が正しく第１ボーダーを読めるようにするため、最初のボーダーアウトの長さを０．５ｍｍにしなければならないと規格上定められているためである。【０１０５】
続いて、ドライブにおいて、ホストからファイナライズ処理を行うように指示されたか否かが判定される（ステップＳ１１０）。ここで、ファイナライズ処理を行うように指示された場合（ステップＳ１１０：Ｙｅｓ）、ステップＳ１０６におけるＬ１層の最後に記録されたボーダーアウト１０５ａ−１（半径方向の長さ：約０．５mm）に緩衝用データが書き足されて、半径方向の長さが約０．５mm以上となったリードアウトエリアがＬ１層に形成される（ステップＳ１１１）。尚、図９中のファイナライズ処理のフェイズにおけるステップＳ１１１を参照。【０１０６】
以上より、一連のシーケンシャル記録は終了される。【０１０７】
以上のように、図７及び図９を参照して説明した本発明の情報記録装置の第１実施例に係る情報記録再生装置の他の一具体例の処理により、記録すべき複数の記録情報がＬ０層及びＬ１層の両方に跨って書き込む又は書き込んだ直後のボーダークローズ処理において、仮に、Ｌ０層に一度もボーダーゾーンが記録されていない場合には、マルチボーダー非対応のＤＶＤ−ＲＯＭ再生専用ドライブの光ピックアップによるトラッキングサーボの正常な制御のために、通常の緩衝用データがＬ０層及びＬ１層において、半径方向の長さが約０．５ｍｍの通常のミドルエリアとして記録される。【０１０８】
このようにボーダークローズ処理が行われた２層型ＤＶＤ−Ｒ等の光ディスクは、マルチボーダー対応のＲＯＭドライブに加えて、マルチボーダー非対応のＤＶＤ−ＲＯＭドライブでの再生が、可能となる。【０１０９】
以上のように、図７から図９を参照して説明した本発明の情報記録装置の第１実施例に係る情報記録再生装置の全体の処理により、ショートミドルエリアと通常のミドルエリアを適切に使い分けて記録されることにより、２層型ＤＶＤ−Ｒ／ＲＷ等の光ディスクに効率的に且つＤＶＤ−ＲＯＭとの互換性が保持されて情報が記録されることが可能となる。より具体的には、例えば、記録すべき複数の記録情報がＬ０層及びＬ１層の両方に跨って書き込む又は書き込んだ直後のボーダークローズ処理にかかる時間の大幅な短縮が可能となる。さらに、ファイナライズ処理を行うことにより２層型ＤＶＤ−Ｒ等の光ディスクを２層型ＤＶＤ−ＲＯＭディスクとの規格上の互換性を持たせることも可能となる。【０１１０】
次に図１０及び図１１を参照して、本発明の情報記録装置の第１実施例による、ショートミドルエリアの半径方向の長さ及び該長さに影響を与える要因について説明する。ここに、図１０は、一般のＤＶＤ−ＲＯＭドライブ等の情報記録再生装置が２層型光ディスクにおける所望のアドレスへアクセスする際の経路を示した図式的な概念図である。図１１は、一般のＤＶＤ−ＲＯＭドライブ等の情報記録再生装置における所望のアドレスと実際にアクセスされる位置との誤差の４つの要因を示した図式的な概念図である。【０１１１】
本発明の情報記録装置の第１実施例に係る情報記録再生装置においては、ショートミドルエリアの半径方向の長さが、例えば、約０．２５mmとなるように、通常の緩衝用データと比べて小さな情報量の緩衝用データがＬ０層及びＬ１層において記録される。何故ならば、緩衝用エリアとして機能するための半径方向の長さが約０．１mmに加えて様々な要因による誤差のためのマージンの長さ、例えば約０．１５mmが加算されて約０．２５mmとなる。より詳細には、既存のＤＶＤ−ＲＯＭ再生専用ドライブの光ピックアップの２回目以降のボーダークローズ処理において、トラッキングサーボの正常な制御のために必要な緩衝用エリアの半径方向の長さが約０．１mmである。また、同様に、最新のＤＶＤ−ＲＯＭ再生専用ドライブの光ピックアップのボーダークローズ処理において、トラッキングサーボの正常な制御のために必要な緩衝用エリアの半径方向の長さが約０．１mmである。また、本願発明者の研究によれば、一般のＤＶＤ−ＲＯＭドライブ等の情報記録再生装置における所望のアドレスと実際にアクセスされる位置との誤差は約０．１５mmであることが判明している。【０１１２】
以上より、ショートミドルエリアの半径方向の長さは、約０．２５mm（＝０．１＋０．１５）が望ましい。【０１１３】
具体的には、本願発明者の研究によれば、所望のアドレスと実際にアクセスされる位置との誤差としては、以下の４種類が大きな要因となっていることが判明している。第１の要因として、ＤＶＤ−ＲＯＭドライブ等の情報記録再生装置における光ピックアップの動作の精度がある。第２の要因として、光ディスクのクランピングの精度がある。第３の要因として、光ディスクの反りや面ぶれがある。並びに、第４の要因として、２層型光ディスクにおける貼り合わせずれがある。より具体的には、図１０に示されるように、第１の要因であるＤＶＤ−ＲＯＭドライブ等の情報記録再生装置における光ピックアップの移動制御の精度について説明する。ここで、Ｌ０層におけるデータエリアの最後、即ち、外周側にあるデータをＤＶＤ−ＲＯＭ再生専用ドライブで読み出す場合において、Ｌ０層におけるデータエリアの最後のアドレスを仮に“Ｗ０”とする。【０１１４】
光ピックアップの移動には、例えば、ステッピングモータ等が使用される。また、光ピックアップの移動制御の方法には、一般的にある程度大きな距離を急いで移動させる「粗送り」と、細かく且つ精度よく移動させる、「精密送り」の２種類がある。先ず、データエリアの最後のデータを読み出すためには、ドライブは光ピックアップを例えば、粗送りによって、アドレス“Ｗ０”の近傍に大きくジャンプさせる。次に、精密送りによって、アドレス“Ｗ０”のさらに近傍に正確にジャンプさせる。【０１１５】
しかし、粗送りでアドレス“Ｗ０”の近傍にジャンプする場合に、、ドライブによっては、光ピックアップがアドレス“Ｗ０”を大きく行き過ぎたりしてしまう可能性がある。このように、ドライブが光ピックアップを移動させる際のステッピングモータの移動制御の精度の違いによって、ドライブごとに所望のアドレスと実際に光ピックアップがアクセスする位置との誤差が発生してしまう。【０１１６】
次に、図１１（ａ）に加えて前述した図１０を適宜参照して、第２の要因である光ディスクのクランピングの精度について説明する。光ディスクの回転時には、クランピングの精度を起因として、一般的に偏心、即ち、光ディスクの中心からわずかにずれて回転することがある。したがって、Ｌ０層のデータエリアの最後のアドレス“Ｗ０”にジャンプしたつもりでも正確に所望のアドレスに光ピックアップを移動させることは困難である。【０１１７】
このように、ステッピングモータによる移動制御は半径方向の距離で行うため、偏心による誤差の長さ分だけずれた場所にジャンプしてしまう可能性がある。よって、ドライブごとに所望のアドレスと実際に光ピックアップがアクセスする位置との誤差が発生してしまう。【０１１８】
次に、図１１（ｂ）に示されるように、第３の要因として、光ディスクには、一般的に記録面の反りや回転中の面ぶれがある。この場合も同様に反りや面ぶれの誤差分ずれた場所にジャンプする可能性がある。よって、光ディスクごとに所望のアドレスと実際に光ピックアップがアクセスする位置との誤差が発生してしまう。【０１１９】
次に、図１１（ｃ）に示されるように、第４の要因として、２層型光ディスクにおける貼り合わせずれがある。即ち、貼り合わせ構造をもつ２層型光ディスクの場合は、製造時における、貼りあわせ装置の精度により、第１層目と第２層目が少しずれて貼りあわされる場合がある。よって、光ディスクごとに所望のアドレスと実際に光ピックアップがアクセスする位置との誤差が発生してしまう。【０１２０】
以上説明した様々な誤差を考慮したうえで、光ピックアップが無信号又は未記録領域に飛び出さないように、外周部にミドルエリア等の緩衝用エリアが設けられている。又は、単層型ディスクの場合はリードアウトエリアが設けられている。【０１２１】
特に、本実施例においては、例えば、記録すべき複数の記録情報がＬ０層及びＬ１層の両方に跨って書き込む又は書き込んだ直後のボーダークローズ処理において、通常の緩衝用データと比べて小さな情報量の緩衝用データがＬ０層及びＬ１層において、半径方向の長さが約０．２５mmのショートミドルエリアとして記録されるので、ボーダークローズ処理にかかる時間の大幅な短縮が可能となる。【０１２２】
次に、前述した図１０において説明したように、ファイナライズ処理時にＬ１層において全未記録領域にリードアウトエリアを記録する理由について説明する。【０１２３】
仮に、Ｌ１層の内周側が、例えば、ダミーデータが記録されずに未記録である場合、光ピックアップが、暴走してしまうからである。具体的には、例えば、ＤＶＤ−ＲＯＭドライブの光ピックアップが、２層型光ディスクにおいて、Ｌ０層の所定のセクタ番号（図１０中の“Ｘ０”）からＬ１層にある目的のセクタ番号（図１０中の“Ｙ１”）にアクセスするために、先ず、Ｌ１層への焦点合わせ、即ち、層間フォーカスジャンプ（層間切り換え）を行った場合、層間フォーカスジャンプした先のＬ１層のセクタ番号（図１０中の“Ｚ１”）が未記録であると、光ピックアップは、例えば、位相差法によるトラッキングサーボの制御を行うことができずに、暴走してしまうのである。より詳細には、位相差法が採用されているＤＶＤ−ＲＯＭ再生専用ドライブの光ピックアップは、グルーブ等の案内溝を利用したプッシュプル法が採用されているＤＶＤ−Ｒにおける未記録領域に対してはトラッキングサーボの制御が殆ど又は完全に不可能である。このことが、ＤＶＤ−ＲＯＭドライブでＤＶＤ−Ｒを再生できない場合があることの一例であることも付記しておく。他方、ＤＶＤ−Ｒ／ＲＷ記録装置は、プッシュプル法を採用しているので、未記録領域に対してもトラッキングサーボの制御を行うことができる。【０１２４】
また、一般のＤＶＤ−ＲＯＭドライブは規格上、光ピックアップを、目的のセクタ番号へアクセスさせるのに２種類のアクセス経路が定義されている。図１０に示されるように、１種類目は、Ｌ０層のセクタ番号“Ｘ０”からＬ１層のセクタ番号“Ｚ１”へ層間フォーカスジャンプしてからＬ１層を内周側から外周側へスキャンし、Ｌ１層のセクタ番号“Ｙ１”へアクセスする第１パスに沿ったアクセス経路である。２種類目は、Ｌ０層のセクタ番号“Ｘ０”からＬ０層のセクタ番号“Ｗ０”まで内周側から外周側へスキャンしてから層間フォーカスジャンプしてＬ１層のセクタ番号“Ｙ１”へアクセスする第２パスに沿ったアクセス経路である。【０１２５】
（情報記録装置の第２実施例の一具体例及び他の具体例による記録動作の流れ）
次に図１２から図１４を参照して、本発明の情報記録装置の第２実施例の一具体例及び他の具体例に係る情報記録再生装置における、Ｌ０層及びＬ１層におけるボーダークローズ処理、ショートミドルエリアの記録、及びファイナライズ処理を行った場合の記録動作の流れ並びにＬ０層及びＬ１層の記録領域の変遷について説明する。ここに、図１２は本発明の情報記録装置の第２実施例に係る情報記録再生装置における、ショートミドルエリアを記録した場合の光ディスクの記録動作の流れを示したフローチャート図である。図１３は、図１２のステップＳ１０１からＳ１１８に対応した、本発明の情報記録装置の第２実施例の一具体例に係る情報記録再生装置による、Ｌ０層及びＬ１層におけるボーダークローズ処理、ショートミドルエリアの記録、及びファイナライズ処理を行った場合のＬ０層及びＬ１層の記録領域の変遷を示した図式的概念図である。図１４は、図１２のステップＳ１０１からＳ１１８に対応した、本発明の情報記録装置の第２実施例の他の一具体例に係る情報記録再生装置における、Ｌ１層におけるボーダークローズ処理、ショートミドルエリアの記録、及びファイナライズ処理を行った場合のＬ０層及びＬ１層の記録領域の変遷を示した図式的概念図である。尚、図１３及び図１４中、右側が外周側を、左側が内周側を示す。【０１２６】
本発明の情報記録装置の第２実施例に係る基本構成及び動作及び該情報記録装置の記録対象となる情報記録媒体のデータ構造等は、図１から図１１を参照して説明した第１実施例と概ね同様である。また、図１２において、第１実施例の記録動作の流れを示した図７と同様のステップには同様のステップ番号を付し、それらの説明は適宜省略する。【０１２７】
特に、第２実施例の一具体例及び他の具体例においては、光ディスクに対する最初のボーダークローズ処理であるか否かの判定、言い換えると、Ｌ０層及びＬ１層における最初のボーダークローズ処理であるか否かの判定である、前述したステップＳ１０５の判断分岐が省略されている。加えて、第１実施例におけるステップＳ１１３の代わりに、前回記録した半径方向の長さが約０．１ｍｍのボーダーアウト１０５ｃ−０の直後のボーダーイン１０５ｂ−０又はリードインエリア１０１−０に管理情報等が記録される（ステップＳ１１３ａ）。【０１２８】
このことによって、ボーダークローズ処理において、光ディスクに対する最初のボーダークローズ処理であるか否かに関わらず、半径方向の長さが約０．１ｍｍのボーダーアウト１０５ｃ−０が常に記録される（ステップＳ１１２）。従って、ボーダークローズ処理にかかる時間の短縮が可能となる。尚、図１３及び図１４は、最初のボーダークローズ処理が、Ｌ０層及びＬ１層のいずれにおいて行なわれているかに係らず、半径方向の長さが約０．１ｍｍのボーダーアウト１０５ｃ−０が常に記録されることを示している。【０１２９】
特に、例えば、記録すべき複数の記録情報がＬ０層及びＬ１層の両方に跨って書き込む又は書き込んだ直後のボーダークローズ処理において、最新のＤＶＤ−ＲＯＭ再生専用ドライブの光ピックアップによるトラッキングサーボの正常な制御のために、通常の緩衝用データと比べて小さな情報量の緩衝用データがＬ０層及びＬ１層において、半径方向の長さが約０．２５mmのショートミドルエリアとして常に記録できるので、ボーダークローズ処理にかかる時間の大幅な短縮が常に可能となる。【０１３０】
本実施例では、情報記録装置の一具体例として、例えば、２層型ＤＶＤ−Ｒ等の追記型光ディスクの情報記録再生装置について説明したが、本発明は、例えば、２層型ＤＶＤ−Ｒ／Ｗ等の書き換え型光ディスクの情報記録再生装置に適用可能である。加えて、例えば、３層型等のマルチプルレイヤ型の光ディスクの情報記録再生装置にも適用可能である。更に、ブルーレーザーを記録再生に用いるディスク等の大容量記録媒体の情報記録再生装置にも適用可能である。【０１３１】
本発明は、上述した実施例に限られるものではなく、請求の範囲及び明細書全体から読み取れる発明の要旨或いは思想に反しない範囲で適宜変更可能であり、そのような変更を伴う情報記録装置及び方法、並びにコンピュータプログラムもまた本発明の技術的範囲に含まれるものである。
【産業上の利用可能性】
【０１３２】
本発明に係る情報記録装置及び方法、並びにコンピュータプログラムは、例えば、民生用或いは業務用の、各種情報を高密度に記録可能なＤＶＤレコーダ等にも利用可能である。また、例えば民生用或いは業務用の各種コンピュータ機器に搭載される又は各種コンピュータ機器に接続可能な、記録装置等にも利用可能である。
【図１】
0004442830.tif 000002
【図２】
0004442830.tif 000003
【図３】
0004442830.tif 000004
【図４】
0004442830.tif 000005
【図５】
0004442830.tif 000006
【図６】
0004442830.tif 000007
【図７】
0004442830.tif 000008
【図８】
0004442830.tif 000009
【図９】
0004442830.tif 000010
【図１０】
0004442830.tif 000011
【図１１】
0004442830.tif 000012
【図１２】
0004442830.tif 000013
【図１３】
0004442830.tif 000014
【図１４】
0004442830.tif 000015